(57)【要約】【課題】本発明は、複雑で高価な設備なしに、培地の温度や水分の環境条件、特に、植物の根域環境を容易に制御することができ、更に、この装置をユニットとして、複数の装置を含む集合体装置として用いるときに、組立、分解や、維持管理が容易である生育環境調節装置を提供することを目的とする。【解決手段】本発明によれば、共に多数の貫通孔を有する外側管壁と内側管壁によって囲まれつつ、軸方向に延びる管路を有する管体と、上記管路内に充填された培地を有し、上記管体を地面よりも上方で適宜高さの位置で水平に又は傾斜させて支持してなり、上記管路の横断面が逆Ｕ字状の異形断面であり、上記管体は上記内側管壁が形成する軸方向に延びる中空路を有し、上記中空路は上記管体の下端において上記管体に沿う開口を有する植物生育環境調節装置が提供される。【選択図】図１
2014217286.tif 000002
【特許請求の範囲】
【請求項１】
共に多数の貫通孔を有する外側管壁と内側管壁によって囲まれつつ、軸方向に延びる管路を有する管体と、上記管路内に充填された培地を有し、上記管体を地面よりも上方で水平に又は傾斜させて支持してなり、上記管路の横断面が逆Ｕ字状の異形断面であり、上記管体は上記内側管壁が形成する軸方向に延びる中空路を有し、上記中空路は上記管体の下端において上記管体に沿う開口を有する植物生育環境調節装置。
【請求項２】
多数の貫通孔を有する外側管壁と内側管壁がそれぞれメッシュからなる請求項１に記載の植物生育環境調節装置。
【請求項３】
上記管体の外側管壁の上方でこれに沿って、若しくは上記中空路内にこれに沿って培地灌水手段を設け、及び／又は上記中空路内にこれに沿って培地加熱冷却手段を設けてなる請求項１に記載の植物生育環境調節装置。
【請求項４】
請求項１から３のいずれかに記載の管体を支持骨格から吊り下げ索にて吊り下げて地面の上方で水平に又は傾斜させて支持してなる高設栽培装置。
【請求項５】
請求項１から３のいずれかに記載の管体を支持骨格にて地面よりも上方で水平に又は傾斜させて支持してなる高設栽培装置。
【請求項６】
請求項１に記載の植物生育環境調節装置の複数からなる集合体装置であって、上記管路と上記中空路が連なって延びるように、上記管体の複数を直列に並べてなる植物生育環境調節集合体装置。
【請求項７】
上記連なって延びる管体の外側管壁の上方でこれに沿って、若しくは上記連なって延びる中空路内にこれに沿って培地灌水手段を設け、及び／又は上記連なって延びる中空路内にこれに沿って培地加熱冷却手段を設けてなる請求項６に記載の植物生育環境調節集合体装置。
【請求項８】
請求項６又は７に記載の集合体装置における複数の管体を支持骨格から吊り下げ索にて吊り下げて地面よりも上方で水平に又は傾斜させて支持してなる高設栽培集合体装置。
【請求項９】
請求項６又は７に記載の集合体装置における複数の管体を支持骨格にて地面よりも上方で水平に又は傾斜させて支持してなる高設栽培集合体装置。
【発明の詳細な説明】
【技術分野】
【０００１】
本発明は植物生育環境調節装置に関する。詳しくは、本発明は、共に多数の貫通孔を有する外側管壁と内側管壁によって囲まれつつ、軸方向に延びる管路を有する管体と、上記管路内に充填された培地を有し、上記管体を地面よりも上方で水平に又は傾斜させて支持してなり、上記管路の横断面が逆Ｕ字状の異形断面であり、上記管体は上記内側管壁が形成する軸方向に延びる中空路を有し、上記中空路は上記管体の下端において上記管体に沿う開口を有する植物生育環境調節装置に関する。
【０００２】
このような植物生育環境調節装置によれば、上記中空路を利用して、菌類を含む植物のための培地の温度や水分等の根域環境のみならず、培地の近傍の植物の生育環境を容易に調節することができ、そのうえ、上記管体をユニットとして、複数の管体を直列に並べてなる植物生育環境調節集合体装置として用いる場合に、その組立、分解や、維持管理が容易である植物生育環境調節装置に関する。
【０００３】
また、本発明は、このような植物生育環境調節装置を利用した高設栽培装置に関する。
【背景技術】
【０００４】
従来、植物の種類にもよるが、収量を改善し、また、種々の農作業を容易にするために、植物の生育環境を調節する機能を備えた栽培装置が種々、提案されている（例えば、特許文献１参照）。
【０００５】
しかし、従来の植物の生育環境を調節する機能を備えた栽培装置、即ち、植物生育環境調節装置においては、菌類を含め、植物の根域の温度や水分等の環境の調節は、極めて非効率的に行われており、場合によっては、不適切に行われている。例えば、培地を加熱（暖房）するには、例えば、ボイラー設備を利用して、植物生育環境調節装置を設けた温室全体を加温し、又は植物生育環境調節装置の周辺に温風を送っており、一方、培地を冷却（冷房）する場合には、培地に埋設した金属製熱媒管に冷水を通し、又は培地上の植物の近傍を空調機にて局所的に冷却している。
【０００６】
更に、従来の植物生育環境調節装置によれば、培地は、通常、箱状乃至樋状の容器に充填されており、培地はその外側の表面のみが外気と接触しているので、培地を効率的に加熱冷却することができない。このように、従来の植物生育環境調節装置は、その植物の根域の環境の調節のために多額の費用を要する複雑で大規模な装置を備えていながら、根域の温度の調節は極めて非効率的に、場合によっては、不適切に行われている。
【０００７】
このように、従来の植物生育環境調節装置においては、培地に植えられている植物の根域環境の調節が極めて非効率的に行なわれており、場合によっては、不適切であって、病害発生の危険性さえ、内包している。
【０００８】
そこで、中空の管体を培地容器として利用した植物生育環境調節装置も提案されている。一例を挙げれば、適宜の架台上に長管を傾斜して配設し、長管の管壁の上面側に穿設した複数の貫通孔のそれぞれに培地を充填した短管をその底部端面が上記長管の内側底壁面との間に空隙を有するように装着して、その長管の内側底壁面を自然流下による培養液流路とした装置が提案されている（特許文献２参照）。このような植物生育環境調節装置は、従来の前述したような栽培装置に比較すれば、単位当りの収量は改善され、また、根腐れのおそれも幾分、軽減されるとしても、植物の根域の温度を含めた環境の制御の問題は、依然として、そのままに残されていて、解決されていない。
【０００９】
一方、植物の生育環境調節に係わる別の問題として、従来、農作業における負担を軽減するために、種々の高設栽培装置が提案されている。例えば、イチゴは、丈の低い作物であるので、その栽培に際しては、苗取りから収穫まで、膝や腰への負担が大きい中腰の作業姿勢が強いられる。そこで、作業者に立ち作業を可能にする栽培方法が強く求められており、近年、このような要望に応えるべく、種々の高設栽培装置が提案されている。
【００１０】
イチゴや葉物野菜等の栽培に用いられている従来の高設栽培装置は、例えば、培地を充填するための樋状のプラスチック製容器、即ち、栽培槽とこの栽培槽を地面から適当な高さに支持するための台座構造から構成されている。このような栽培装置の一例として、例えば、栽培槽の長手方向の両端を一対の架台で支持し、それぞれの架台を更に一対の支柱で支持して、上記栽培槽を地面から適当な高さに支持するようにした栽培装置が挙げられる（特許文献３参照）。
【００１１】
このような高設栽培装置によれば、農作業者に立ち作業を可能にして、農作業における負担を軽減することはできるが、一方において、栽培槽を地面から適当な高さに支持するために、栽培槽ごとに地面に台座構造を組む必要がある。従って、このような高設栽培装置においては、上記台座構造を組み立てることと相俟って、前述した根域環境の調節には、一層、複雑で高価な設備が求められることとなる。
【００１２】
そこで、台座構造を組む代わりに、培地を充填した栽培槽を、例えば、温室の天井から吊り下げてなる生育環境調節装置も幾つか、提案されているが（特許文献４及び５参照）、これらも従来の栽培装置と同じく、栽培槽が箱状の容器からなるので、培地の温度や水分の環境条件の調節の非効率性は依然として改善されていない。
【００１３】
以上に述べたように、従来の植物生育環境調節装置は、上述した高設栽培装置を含め、種々の問題を有しており、そこで、このような従来の植物生育環境調節装置における種々の問題を解決することを目指して、共に管壁に多数の貫通孔を有する内側管と外側管とから二重管体を構成し、その二重管体の有する二重管路内に培地を充填し、上記内側管によって形成される中空路内にこれに沿って培地の灌水管や培地を加熱冷却するための熱媒管を設け、上記二重管体を水平に又は傾斜させて支持してなる植物生育環境調節装置が提案されている（特許文献６参照）。
【００１４】
このような植物生育環境調節装置は、実用上は、通常、一つの装置をユニットとして、複数のユニットを直列に並べて、上記培地と中空路が軸方向に延びて連なるように保持してなる集合体装置として用いられる。
【００１５】
従って、このような集合体装置によれば、直列に並べた複数のユニットによって構成される連なった中空路内にこれを貫通して、前述した灌水管や熱媒管を設けて、培地に内側から灌水市、また、培地を内側から加熱冷却することができる利点を有している。
【００１６】
即ち、例えば、温室全体を加温し、又は栽培槽の周辺に温風を送って培地を加熱し、また、培地上の植物の近傍を空調機にて局所的に冷却するような従来の生育環境の調節方法に比べれば、上述した植物生育環境調節装置は、生育環境の調節を格段に効率よく且つ少ない費用にて行うことができる。
【００１７】
このように、上述した植物生育環境調節装置によれば、植物の生育環境の調節に係わる問題は解決でき、培地の加熱冷却を効率よく且つ少ない費用にて行うことができるとはいうものの、前述したように、複数のユニットを直列に並べて、培地と中空路が軸方向に連なって延びる集合体装置を組み立てる際に、前記灌水管や熱媒管を上記連なって延びる中空路内にこれに沿って設けて、集合体装置を組み立てることは容易ではなく、煩雑でもある。
【００１８】
更に、上述した植物生育環境調節装置によれば、集合体装置の培地全体を望ましい状態に維持し、管理するために、いずれかのユニットの培地を取り換えたり、また、いずれかのユニットに何らかの不具合が生じた場合に、そのユニットを取り換えたりするためには、集合体装置を一旦、それぞれのユニットに分解した後に、問題のユニットの培地を取り換えたり、また、問題のユニットを新しいユニットと取り換える必要があり、更に、このように、一つのユニットを集合体から取り外した後、再び、他の複数のユニットと共に集合体に組み立てる作業も煩雑であり、延いては、栽培装置としての生産性を引き下げる要因ともなる。
【先行技術文献】
【特許文献】
【００１９】
【特許文献１】特開昭５８−１６５７２２号
【特許文献２】特開２００１−６９８６５号公報
【特許文献３】特開２００３−１８９１６号公報
【特許文献４】特開２０００−１４２５０号公報
【特許文献５】特開２００４−２７５１７８号公報
【特許文献６】特開２０１０−１３０９８１号公報
【発明の開示】
【発明が解決しようとする課題】
【００２０】
本発明は、従来の植物生育環境調節装置における上述した種々の問題を解決するためになされたものであって、複雑で高価な設備なしに、培地の温度や水分の環境条件、特に、菌類を含む植物の根域環境を容易に調節することができる植物生育環境調節装置であって、しかも、上記管体をユニットとして、複数の管体を直列に並べて、植物生育環境調節集合体装置として用いる場合にも、その組立、分解や、維持管理が容易である植物生育環境調節装置を提供することを目的とする。
【００２１】
更に、本発明は、このような植物生育環境調節装置を利用した高設栽培装置を提供することを目的とする。
【課題を解決するための手段】
【００２２】
本発明によれば、共に多数の貫通孔を有する外側管壁と内側管壁によって囲まれつつ、軸方向に延びる管路を有する管体と、上記管路内に充填された培地を有し、上記管体を地面よりも上方で水平に又は傾斜させて支持してなり、上記管路の横断面が逆Ｕ字状の異形断面であり、上記管体は上記内側管壁が形成する軸方向に延びる中空路を有し、上記中空路は上記管体の下端において上記管体に沿う開口を有する植物生育環境調節装置が提供される。
【００２３】
また、本発明による植物生育環境調節装置は、好ましくは、上記培地に灌水するために、上記管体の外側管壁の上方でこれに沿って、又は上記中空路内にこれに沿って培地灌水手段、通常、灌水管を有することができる。
【００２４】
更に、本発明による植物生育環境調節装置は、好ましくは、上記中空路内にこれに沿って培地を加熱冷却するための加熱冷却手段、例えば、熱媒管を有することができる。
【００２５】
更に、本発明によれば、上述した植物生育環境調節装置を支持骨格から吊り下げ索にて吊り下げて地面よりも上方で水平に又は傾斜させて支持してなる高設栽培装置が提供される。また、本発明によれば、上述した植物生育環境調節装置を支持骨格にて地面上、適宜の高さに水平に又は傾斜させて支持してなる高設栽培装置が提供される。
【発明の効果】
【００２６】
本発明による植物生育環境調節装置においては、管体が共に多数の貫通孔を有する外側管壁と内側管壁によって囲まれつつ、軸方向に延びる管路を有しており、この管路の横断面は逆Ｕ字状の異形断面であり、この管路内に培地が充填されており、この管路、従って、管体は、地面よりも上方、適宜高さの位置において、水平になるように、又は幾分、傾斜するように、支持されている。従って、上記管体は、上記内側管壁が形成する中空路を有し、この中空路は軸方向に延びると共に、上記管体の下端において上記管体に沿う開口を有する。
【００２７】
従って、本発明による植物生育環境調節装置においては、上記管体の外側管壁の上方でこれに沿って培地灌水手段を設けることができるのみならず、上記中空路内にこれに沿って、培地灌水手段を設けることができ、これによって、培地の内側からも培地に水を供給することができ、従って、培地の表面に定植した植物の地上部を濡らしたり、培地の表面を過度に湿潤にしたりすることなしに、植物の根域に効率よく水分を供給することができる。
【００２８】
また、本発明による植物生育環境調節装置においては、上記中空路内にこれに沿って、培地加熱冷却手段を設けることによって、培地の内側から加熱冷却（暖房冷房）することができ、従って、培地の根域の温度の調節を効率よく行うことができる。
【００２９】
特に、本発明の植物生育環境調節装置は、これをユニットとして、即ち、管路に培地を有する管体をユニットとして、複数の管体を直列に並べて、培地と中空路がそれぞれ軸方向に連なって延び、従って、管体の下端の開口が軸方向に連なって延びる植物生育環境調節集合体装置として有利に用いることができる。このような集合体装置は、上述した植物生育環境調節装置と共通する利点を有するうえに、組立、分解や、維持管理も容易である。
【図面の簡単な説明】
【００３０】
【図１】本発明による植物生育環境調節装置の部分斜視図である。
【図２】（ａ）は本発明による植物生育環境調節装置の縦断面図であり、（ｂ）は図（ａ）における線Ａ−Ａに沿う断面図である。
【図３】培地を有する管路と中空路がそれぞれ軸方向に連なって延びるように、複数の管体を直列に並べてなる本発明による植物生育環境調節集合体装置の略図である。
【発明を実施するための形態】
【００３１】
以下、本発明による植物生育環境調節装置について、添付図面を参照しつつ、詳細に説明する。
【００３２】
図１に示すように、本発明による植物生育環境調節装置１は、共に多数の貫通孔２を有する外側管壁３と内側管壁４によって囲まれつつ、軸方向に延びる管路５を有する管体６と、上記管路内に充填された培地７を有し、上記管体を地面よりも上方で適宜高さの位置において水平に又は傾斜させて支持してなり、図２（ａ）及び（ｂ）にも示すように、上記管路５の横断面は逆Ｕ字状の異形断面であり、上記管体６は上記内側管壁４が形成する軸方向に延びる中空路８を有し、上記中空路は上記管体の下端において上記管体に沿う開口９を有している。
【００３３】
本発明による植物生育環境調節装置においては、通常、管体を地面よりも上方で適宜高さの位置において水平に支持してなることが好ましいが、必要に応じて、傾斜させて支持してもよい。しかし、余りに大きい角度にて傾斜させて支持するときは、管体内に充填した培地の軸方向に培地の有する水分量が下側に偏在するおそれがあるので、傾斜させるとしても、その角度は、通常、水平方向に対して１０度以下が好ましい。
【００３４】
図１及び図２においては、図示しないが、一例として、適宜の支持骨格に吊り下げ索を取り付け、この吊り下げ索にて適宜の支持体１０を地面よりも上方で適宜高さの位置に吊り下げて、この支持体を跨ぐようにして、管体を地面よりも上方で適宜高さの位置に水平に支持している。管体を支持する方法については後に詳しく説明する。
【００３５】
本発明による植物生育環境調節装置において、前述したように、内側及び外側官壁からなる管体は、これを地面よりも上方で水平に又は傾斜させて支持するときに、それ自体と共に管路内の培地を保持することができれば、どのような材料からなるものであってもよいが、好ましくは、プラスチック、木材、金属等からなる。管体は、その管壁が多数の貫通孔を有するように、例えば、ポリエチレンやポリプロピレン等のプラスチック製のメッシュ（網体）や、金属製のメッシュからなっていてもよい。管体がメッシュから構成されているときは、貫通孔は、いうまでもなく、網目（隙間）である。また、図示しないが、用いる培地の性状等によっては、例えば、培地が管体から脱落しないように、必要に応じて、上記内側及び外側管壁の内側に網目のより小さい第２のメッシュを沿わせてもよい。
【００３６】
また、本発明による植物生育環境調節装置において、上記管体は、前述したように、逆Ｕ字状の異形断面を有する。このような逆Ｕ字状の異形断面の管路を有する管体は、例えば、通常の円筒状の管体を扁平にして、内側に扁平な管路を有する管体とし、更に、このような扁平な管体の両端部を下方に曲げて、管路を逆Ｕ字状に形成することによって得ることができる。
【００３７】
しかし、本発明による植物生育環境調節装置において、上記管体の製造方法は上記例示に何ら限定されるものではない。
【００３８】
更に、本発明による植物生育環境調節装置において、上記管体は、上述したように、逆Ｕ字状の異形断面を有するが、厳密に文字通りに逆Ｕ字状である必要はない。例えば、逆Ｕ字状の管路の両端部が幾分、内側に曲げられた形状、即ち、馬蹄形であってもよい。
【００３９】
本発明による植物生育環境調節装置において、上記管体は、上述したように、横断面が逆Ｕ字状の異形断面である管路を有し、そのような管路に培地が充填されている。従って、本発明による植物生育環境調節装置によれば、培地は、多数の貫通孔を有する外側管壁を介して外気に露出しているのみならず、内側管壁を介しても、外気に露出している。
【００４０】
かくして、本発明による植物生育環境調節装置によれば、管体の外側管壁の上方でこれに沿って、即ち、管体の上方でこれに沿って培地灌水手段を設けることができるのみならず、図２に示すように、上記中空路内にこれに沿って、培地灌水手段１１を設けることができる。これによって、培地の内側から培地の水を供給することができ、培地の表面に定植した植物の地上部を濡らしたり、培地の表面を過度に湿潤にしたりすることなしに、植物の根域に効率よく水分を供給することができる。一方、培地に過剰に灌水した場合には、過剰の廃水は管体の下端に沿う開口から排出されるので、廃水の収集処理も容易である。
【００４１】
また、図２に示すように、本発明による植物生育環境調節装置によれば、上記中空路内にこれに沿って、培地加熱冷却手段１２を設けることができ、管体の外側からのみならず、培地の内側から培地を加熱冷却（暖房冷房）することができ、従って、培地の根域の温度の調節を効率よく行うことができる。
【００４２】
本発明において、上記培地灌水手段は、中空路の内部から培地に水を供給することができれば、その構造及び形状は何ら制約を受けるものではないが、好ましくは、一定の間隔ごとに水を噴出させる灌水管であり、管体の中空路を挿通するように適宜に支持される。従って、この灌水管は、管体に適宜に支持させてもよいが、好ましくは、管体を前述したように地面よりも上方で適宜の高さの位置に吊り下げた後、管体と同様に、上方の支持骨格によって適宜に支持しつつ、中空路を挿通させる。
【００４３】
また、本発明において、培地加熱冷却手段も、培地を加熱し、又は冷却することができれば、特に限定されるものではないが、例えば、加熱冷却用熱媒として液体（例えば、温湯や冷水）や気体（例えば、加熱空気や冷却空気）を用いるときは、熱媒管である。
【００４４】
本発明による植物生育環境調節装置においては、横断面が逆Ｕ字状の異形断面である管路に充填される培地は、管体が十分な強度を有する場合には、それ自体で、形状保持性を有する必要はない。従って、例えば、ロックウールやグラスウールやウレタンフォーム等からなる培地を上記異形断面の管路内に充填すればよい。一方、管体が十分な強度を有しないときは、反対に、予め、上記管路の断面に一致させた、それ自体、異形断面を有し、形状保持性を有する培地を上記異形断面の管路内に充填してもよい。
【００４５】
本発明による植物生育環境調節装置において用いる培地は、通常、培地に要求される特性、例えば、保水性、通気性、植付け等の作業の容易性等に加えて、それ自身にて異形断面の環状の形状を維持することができる形状保持性を有し、更に、軽量であることが望ましい場合には、そのような培地は、例えば、適宜の培地素材を固形化剤と共に異形断面の管状に成形し、固形化することによって得ることができる。そのような固形化培地を得る一つの方法は、例えば、特開２００５−１０２５７８号公報に詳細に記載されている。
【００４６】
本発明による植物生育環境調節装置において、管体内の培地に植物を植付けるには、外側管壁の貫通孔が小さいときは、必要に応じて、上記貫通孔の複数を含む適当な面積を有する大きさに外側管壁に植穴を開けて、この植穴から培地内に植物の根部分を埋め込めばよい。しかし、場合によっては、植物を外側管壁の表面に貼り付けることによって、植物に自ずからその根を培地中に伸長させ、生育させることができる。貫通孔の大きさや培地の性状によっては、植付けの後、上記植穴に網目の小さいメッシュを張り付ければよい。
【００４７】
前述したように、本発明による植物生育環境調節装置によれば、図３に示すように、好ましくは、管路に培地を有する管体６をユニットとして、複数の管体を直列に並べて、管路（培地）と中空路、従って、開口がそれぞれ直列に軸方向に連なって延びるように、吊り下げ索１３によって地面よりも上方で適宜高さの位置に支持体１０を吊り下げ、管体がこの支持体を跨ぐようにして、管体を地面よりも上方で水平に又は傾斜して支持してなる植物生育環境調節集合体装置１４として用いられる。ここに、管路（培地）、中空路及び開口をそれぞれ直列に連ねさせるに際して、それぞれが相互に接触して実際に連続した管路（培地）、中空路及び開口を形成している必要はなく、各管体の間に短い間隔を有していてもよい。
【００４８】
上記支持体は、(複数の）管体を地面よりも上方で適宜高さの位置において水平に又は傾斜して支持することができれば、その素材や形状は特に制限されることはないが、例えば、金属や木材からなるロッドや、金属からなるワイヤが好ましく用いられる。
【００４９】
このように、本発明による生育環境調節装置によれば、複数の管体を直列に並べて、管路（培地）と中空路がそれぞれ軸方向に連なって延び、従って、管体の下端の開口が軸方向に連なって延びる集合体装置として用いる場合に、長尺の培地灌水手段や培地加熱冷却手段を集合体装置の上記連なって延びる中空路内にこれに沿ってそれぞれ設けて、各管体に共有させることができる利点がある。
【００５０】
そして、更に、本発明の植物生育環境調節装置によれば、このような長尺の培地灌水手段や培地加熱冷却手段の取り付けや取り外しも、集合体装置の下方に軸方向に連なって延びる開口を利用して、管体の数にかかわらず、簡単に行うことができる。
【００５１】
また、本発明による植物生育環境調節装置によれば、上述したような集合体装置とした場合に、その培地全体を望ましい状態に維持管理するために、いずれかの管体の培地を取り換えたり、また、いずれかの管体に何らかの不具合が生じた場合に、その管体を取り換えたりするときに、集合体装置を一旦、それぞれの管体に分解したり、長尺の培地灌水手段や培地加熱冷却手段を一旦、取り外したりすることなく、問題の管体のみを集合体装置から取り外して、その培地を取り換えたり、また、問題の管体のみを新しい管体と取り換えて、これを集合体装置に組み込むことができる利点もあり、集合体装置の維持管理が容易である。
【００５２】
更に、本発明によるこのような集合体装置は、前述したと同様にして、複数の管体を地面よりも上方で適宜高さの位置に水平に又は傾斜させて支持することによって、複雑で高価な台座構造の必要なしに、高設栽培集合体装置とすることができる。
【００５３】
勿論、このような高設栽培集合体装置によれば、既に、上に説明したように、複雑で高価な設備なしに、培地の温度や水分の環境条件、特に、菌類を含む植物の根域環境を容易に調節することができ、また、組立、分解や、維持管理も容易である。
【符号の説明】
【００５４】
１…植物生育環境調節装置
２…貫通孔
３…外側管壁
４…内側管壁
５…管路
６…管体
７…培地
８…中空路
９…開口
１０…支持体
１１…培地灌水手段
１２…培地加熱冷却手段
１３…吊り下げ索
１４…集合体装置
【図１】
2014217286.tif 000003
【図２】
2014217286.tif 000004
【図３】
2014217286.tif 000005